(57)【要約】【課題】玉挿入時における玉やポケット口元の挿入傷を抑制でき、且つ玉の脱落を防止できるアンギュラ玉軸受用保持器及びアンギュラ玉軸受並びに軸受装置を提供する。【解決手段】アンギュラ玉軸受用保持器は、円環部２９と、半径方向外側に傾斜して延びる複数の柱部３１とを備え、円周方向に隣り合う一対の柱部３１と円環部２９とにより複数のポケット３３が形成される。ポケット３３のポケット内面は、ポケット球面とポケット円筒面で構成される。柱部３１の外周部には径方向外側に突出する凸部４７が形成される。凸部４７は、円周方向に突出して玉の脱落を防止する円周方向突起部４９を有する。【選択図】図１
2018066385.tif 000002
【特許請求の範囲】
【請求項１】
円環部と、該円環部の軸方向一方側で円周方向に間隔を開けて形成され、半径方向外側に傾斜して延びる複数の柱部とを備え、円周方向に隣り合う一対の前記柱部と前記円環部とによりそれぞれ画成され、玉をそれぞれ保持する複数のポケットを有するアンギュラ玉軸受用保持器であって、
前記ポケットのポケット内面は、球面の一部からなるポケット球面と、円筒面の一部からなるポケット円筒面で構成され、
前記柱部の外周部には径方向外側に突出する凸部が形成され、
前記凸部は、円周方向に突出して前記玉の脱落を防止する周方向突起部を有するアンギュラ玉軸受用保持器。
【請求項２】
前記周方向突起部の円周方向の面は、円筒形状にされた張出円筒面である請求項１に記載のアンギュラ玉軸受用保持器。
【請求項３】
前記凸部は、先端に向かって軸方向厚みが薄くなるように構成された請求項１又は請求項２に記載のアンギュラ玉軸受用保持器。
【請求項４】
前記凸部は、最外周部となる凸部先端面と、前記柱部の外周面から前記凸部先端面とを接続する一対の凸部傾斜面とを有し、
前記一対の凸部傾斜面が互いに交差する角度をθ２、前記凸部の軸方向の根元幅をＷ、前記玉の直径をＤａとしたとき、
０°＜θ２＜１２０°、且つ
０．１＜Ｗ／Ｄａ＜１
である請求項１〜請求項３のいずれか一項に記載のアンギュラ玉軸受用保持器。
【請求項５】
前記ポケット円筒面は、軸線が前記ポケット球面の中心を通って形成され、
前記ポケット球面の曲率半径をＲ、前記ポケット円筒面の直径をφＤｐ１、前記玉の直径をＤａとしたとき、
０．５＜Ｒ／Ｄａ＜０．６５、且つ
φＤｐ１＝２Ｒ
である請求項１〜請求項４のいずれか一項に記載のアンギュラ玉軸受用保持器。
【請求項６】
前記ポケット円筒面は、前記ポケット球面の中心より円環部側にずれた位置から形成され、前記ポケット球面の曲率半径をＲ、前記ポケット円筒面の直径をφＤｐ１、前記玉の直径をＤａとしたとき、
０．５＜Ｒ／Ｄａ＜０．６５、且つ
φＤｐ１＜２Ｒ
である請求項１〜請求項４のいずれか一項に記載のアンギュラ玉軸受用保持器。
【請求項７】
前記柱部の軸断面における外周側傾斜面と内周側傾斜面とのなす角をθ３としたとき、
θ３≧０°
である請求項１〜請求項６のいずれか一項に記載のアンギュラ玉軸受用保持器。
【請求項８】
玉案内方式である請求項１〜請求項７のいずれか一項に記載のアンギュラ玉軸受用保持器。
【請求項９】
内輪案内方式又は外輪案内方式である請求項１〜請求項７のいずれか一項に記載のアンギュラ玉軸受用保持器。
【請求項１０】
内周面に外輪軌道溝を有する外輪と、
外周面に内輪軌道溝を有する内輪と、
前記外輪軌道溝と前記内輪軌道溝との間に接触角を持って転動自在に配置される複数の玉と、
請求項１〜請求項９のいずれか一項に記載のアンギュラ玉軸受用保持器と、
を有するアンギュラ玉軸受。
【請求項１１】
請求項１０に記載のアンギュラ玉軸受と、円筒ころ軸受とが、ハウジング内に同芯に組み合わせて配置された軸受装置であって、
前記円筒ころ軸受の外輪外周面が前記ハウジングの内周面に支持され、
前記アンギュラ玉軸受の外輪外周面と前記ハウジングの内周面との間に、２０μｍ以上の直径すきまを有する軸受装置。
【発明の詳細な説明】
【技術分野】
【０００１】
本発明は、アンギュラ玉軸受用保持器及びアンギュラ玉軸受並びに軸受装置に関する。
【背景技術】
【０００２】
工作機械の主軸、特に、大きなアキシアル荷重を負荷する主軸においては、アンギュラ玉軸受（軸受内径寸法φ４０ｍｍ〜φ４００ｍｍ相当）が採用される。また、ＮＣ旋盤、フライス盤、マシニングセンタ、複合加工機、五軸加工機等の工作機械や、電動射出成形機、パンチングプレス機等の主軸台や加工物を装着するベッドの直動送り機構には、回転運動を直線運動に変換するボールねじが使用される。このボールねじの軸端を回転支持する軸受としてもアンギュラ玉軸受（軸受内径寸法φ１５ｍｍ〜φ２００ｍｍ相当）が採用される（例えば、特許文献１、２参照）。
【０００３】
このアンギュラ玉軸受には、冠型保持器を備えるものがある。図１３（Ａ）に示す従来の冠型保持器１０１は、円環部１０２と、この円環部１０２に円周方向への間隔を設けて配置され、径方向外側に傾斜して延びる複数の柱部１０３とを備える。冠型保持器１０１は、図１３（Ｂ）に示すように、円周方向に隣り合う一対の柱部１０３と円環部１０２とによって、玉をそれぞれ保持する複数のポケット１０４が画成されている。この冠型保持器１０１では、ポケット口元部１０５にロールかしめ用治具（図示略）を配置し、柱部１０３に荷重を加えて塑性変形させることで、玉脱落防止用の塑性変形部をポケット口元部１０５から円周方向に向けて突設していた。
【先行技術文献】
【特許文献】
【０００４】
【特許文献１】特開２０００−１０４７４２号公報
【特許文献２】特開２００３−１６６５５１号公報
【発明の概要】
【発明が解決しようとする課題】
【０００５】
しかしながら、上記した従来の塑性変形による加工法は、人手による作業であり、熟練の技術が必要とされた。そのため、作業条件によっては突出量にばらつきが生じることがしばしば認められた。ロールかしめの加減によっては塑性変形部の突出量不足により、玉の脱落が起こり得る。また、突出量過大により玉挿入時における玉又はポケット口元に挿入傷が起こり得る。更に、冠型保持器１０１は、両リング持ちのもみぬき保持器に比べて剛性が小さいため、ロールかしめ時の塑性変形荷重によっては、円環部１０２が楕円変形したり、柱部１０３が不均一に変形したり、ポケット口元が塑性変形により開いたりして、玉が脱落する不具合が懸念されていた。
【０００６】
本発明は上記状況に鑑みてなされたもので、その目的は、玉挿入時における玉やポケット口元の挿入傷を抑制でき、且つ玉の脱落を防止できるアンギュラ玉軸受用保持器及びアンギュラ玉軸受並びに軸受装置を提供することにある。
【課題を解決するための手段】
【０００７】
本発明は下記構成からなる。
（１）  円環部と、該円環部の軸方向一方側で円周方向に間隔を開けて形成され、半径方向外側に傾斜して延びる複数の柱部とを備え、円周方向に隣り合う一対の前記柱部と前記円環部とによりそれぞれ画成され、玉をそれぞれ保持する複数のポケットを有するアンギュラ玉軸受用保持器であって、
前記ポケットのポケット内面は、球面の一部からなるポケット球面と、円筒面の一部からなるポケット円筒面で構成され、
前記柱部の外周部には径方向外側に突出する凸部が形成され、
前記凸部は、円周方向に突出して前記玉の脱落を防止する周方向突起部を有するアンギュラ玉軸受用保持器。
（２）  前記周方向突起部の円周方向の面は、円筒形状にされた張出円筒面である（１）に記載のアンギュラ玉軸受用保持器。
（３）  前記凸部は、先端に向かって軸方向厚みが薄くなるように構成された（１）又は（２）に記載のアンギュラ玉軸受用保持器。
（４）  前記凸部は、最外周部となる凸部先端面と、前記柱部の外周面から前記凸部先端面とを接続する一対の凸部傾斜面とを有し、
前記一対の凸部傾斜面が互いに交差する角度をθ２、前記凸部の軸方向の根元幅をＷ、前記玉の直径をＤａとしたとき、
０°＜θ２＜１２０°、且つ
０．１＜Ｗ／Ｄａ＜１
である（１）〜（３）のいずれか一つに記載のアンギュラ玉軸受用保持器。
（５）  前記ポケット円筒面は、軸線が前記ポケット球面の中心を通って形成され、
前記ポケット球面の曲率半径をＲ、前記ポケット円筒面の直径をφＤｐ１、前記玉の直径をＤａとしたとき、
０．５＜Ｒ／Ｄａ＜０．６５、且つ
φＤｐ１＝２Ｒ
である（１）〜（４）のいずれか一つに記載のアンギュラ玉軸受用保持器。
（６）  前記ポケット円筒面は、前記ポケット球面の中心より円環部側にずれた位置から形成され、前記ポケット球面の曲率半径をＲ、前記ポケット円筒面の直径をφＤｐ１、前記玉の直径をＤａとしたとき、
０．５＜Ｒ／Ｄａ＜０．６５、且つ
φＤｐ１＜２Ｒ
である（１）〜（４）のいずれか一つに記載のアンギュラ玉軸受用保持器。
（７）  前記柱部の軸断面における外周側傾斜面と内周側傾斜面とのなす角をθ３としたとき、
θ３≧０°
である（１）〜（６）のいずれか一つに記載のアンギュラ玉軸受用保持器。
（８）  玉案内方式である（１）〜（７）のいずれか一つに記載のアンギュラ玉軸受用保持器。
（９）  内輪案内方式又は外輪案内方式である（１）〜（７）のいずれか一つに記載のアンギュラ玉軸受用保持器。
（１０）  内周面に外輪軌道溝を有する外輪と、
外周面に内輪軌道溝を有する内輪と、
前記外輪軌道溝と前記内輪軌道溝との間に接触角を持って転動自在に配置される複数の玉と、
（１）〜（９）のいずれか一つに記載のアンギュラ玉軸受用保持器と、
を有するアンギュラ玉軸受。
（１１）  （１０）に記載のアンギュラ玉軸受と、円筒ころ軸受とが、ハウジング内に同芯に組み合わせて配置された軸受装置であって、
前記円筒ころ軸受の外輪外周面が前記ハウジングの内周面に支持され、
前記アンギュラ玉軸受の外輪外周面と前記ハウジングの内周面との間に、２０μｍ以上の直径すきまを有する軸受装置。
【発明の効果】
【０００８】
本発明に係るアンギュラ玉軸受用保持器及びアンギュラ玉軸受によれば、玉挿入時における玉やポケット口元の挿入傷を抑制でき、且つ玉の脱落を防止できる。
【０００９】
本発明に係る軸受装置によれば、円筒ころ軸受とアンギュラ玉軸受によってラジアル荷重とアキシアル荷重とを負荷分担させることができる。
【図面の簡単な説明】
【００１０】
【図１】第１構成例のアンギュラ玉軸受の断面図である。
【図２】図１のアンギュラ玉軸受用保持器の外観斜視図である。
【図３】図２に示したアンギュラ玉軸受用保持器の軸線を含む面で切断した断面図である。
【図４】図１のＡ−Ａ線断面矢視図である。
【図５】柱部の拡大斜視図である。
【図６】図３のＶ方向矢視図である。
【図７】第２構成例のアンギュラ玉軸受における半径方向の断面図である。
【図８】（Ａ），（Ｂ），（Ｃ）はそれぞれ凸部における周方向突起部の構成例を表す要部拡大図である。
【図９】第３構成例のアンギュラ玉軸受用保持器における図３と同方向の斜視図である。
【図１０】内輪案内方式のアンギュラ玉軸受用保持器を用いたアンギュラ玉軸受の要部拡大断面図である。
【図１１】玉案内方式のアンギュラ玉軸受用保持器を用いたアンギュラ玉軸受の要部拡大断面図である。
【図１２】図１のアンギュラ玉軸受が、軸受装置である工作機械主軸の刃物側軸受に適用された例を示す断面図である。
【図１３】（Ａ）は従来の冠型保持器の要部断面図であり、（Ｂ）は（Ａ）の右側面図である。
【発明を実施するための形態】
【００１１】
以下、本発明の実施形態について、図面を参照して詳細に説明する。
（第１構成例）
図１は第１構成例のアンギュラ玉軸受の断面図である。
本構成のアンギュラ玉軸受１０は、内周面に複列の外輪軌道溝１１を有する複列外輪１３と、外周面に単列の内輪軌道溝１５をそれぞれ有する１対の内輪１７Ａ，１７Ｂと、外輪軌道溝１１及び内輪軌道溝１５の間にそれぞれ配置される複数の玉１９と、複数の玉１９を転動自在にそれぞれ保持し、外輪案内方式である１対のアンギュラ玉軸受用保持器１００と、を備える複列アンギュラ玉軸受である。このアンギュラ玉軸受１０は、接触角αが４０°≦α≦６０°程度に設定された背面組合せの複列軸受である。
【００１２】
複列外輪１３の内周面には、その軸方向中間部にアンギュラ玉軸受用保持器１００の案内面２１が形成される。案内面２１の軸方向両側には、径方向外側に延びる１対の外輪傾斜面２３が形成され、各外輪傾斜面２３に外輪軌道溝１１がそれぞれ形成される。
【００１３】
１対の内輪１７Ａ，１７Ｂは、外輪傾斜面２３と略平行に対面する内輪傾斜面２５を有し、各内輪傾斜面２５に内輪軌道溝１５が形成される。なお、１対の内輪１７Ａ，１７Ｂ同士の間には、複列外輪１３の軸方向幅と略等しい内輪間座２７が配置される。なお、必要に応じて、内輪間座２７の軸方向幅は、複列外輪１３の軸方向幅と異ならせてもよい。
【００１４】
本構成のアンギュラ玉軸受１０は、複列外輪１３の軸方向内側、及び、各内輪１７Ａ，１７Ｂの軸方向外側は、溝肩が高く形成されており、これにより、高アキシアル荷重が負荷可能となっている。
【００１５】
次に、アンギュラ玉軸受用保持器（以下の説明では、適宜「保持器」と略称する）１００の構成について詳述する。
保持器１００は、金属材料又は合成樹脂材料からなる。
金属材料としては、銅合金、鉄、アルミニウム、マグネシウム等が採用される。また、鉄系材料の場合には、銀メッキ等が施されてもよい。
合成樹脂材料としては、ポリアミド、ポリアセタール、ポリエーテルエーテルケトン、ポリイミド、ポリフェニレンサルファイド等が採用される。また、必要に応じて、ガラス繊維、カーボン繊維、アラミド繊維等の強化材が添加されてもよい。
【００１６】
図２は図１の保持器１００の外観斜視図である。
保持器１００は、円環部２９と、円環部２９の軸方向一方側で円周方向に間隔を開けて形成され、半径方向外側に傾斜して延びる複数の柱部３１とを備える。円環部２９はアンギュラ玉軸受１０（図１参照）の軸方向内側に配置され、柱部３１は軸方向外側に配置される。円周方向に隣り合う一対の柱部３１の間と円環部２９には、玉１９をそれぞれ保持する複数のポケット３３が画成される。このポケット３３の数は、図示例に限らず任意数であってよい。
【００１７】
図１に示すように、アンギュラ玉軸受１０は、高アキシアル荷重が負荷可能なように、内輪１７Ａ，１７Ｂの接触角がつかない側の溝肩をなくして、その部分に円環部２９及び内輪間座２７を配置している。そのため、保持器１００の形状は、内外輪の溝肩との干渉を避けるため、複数の柱部３１が径方向から幅方向外側に向けて傾斜した冠形形状とされている。
【００１８】
図３は図２に示したアンギュラ玉軸受用保持器１００の軸線を含む面で切断した模式的な断面図である。
柱部３１は、円環部２９の外周面に接続される外周側傾斜面３５、内周面に接続される内周側傾斜面３７、外周側傾斜面３５に接続され軸方向に延びる外周面３９、及び、外周面３９と内周側傾斜面３７とを接続して径方向に延びる軸方向先端面４１を有する。
【００１９】
また、柱部３１の外周面３９には、径方向外側に向けて突出する凸部４７が形成される。凸部４７は、最外周部となる凸部先端面５５と、柱部３１の外周面３９から凸部先端面５５との間を軸方向に接続する一対の凸部傾斜面５０とを有する。凸部傾斜面５０は凸部４７の先端に向かって、軸方向厚みが薄くなるように構成される。
【００２０】
ポケット３３のポケット内面は、球面の一部からなるポケット球面４３と、ポケット球面４３に接続され、円筒面の一部からなるポケット円筒面４５とを有する。
【００２１】
図４は図１のＡ−Ａ線断面矢視図である。
保持器１００のポケット円筒面４５は、ポケット円筒面４５の軸線Ｑが球面の中心Ｏを通って形成される。図示例では、ポケット球面４３のポケット底部からの高さをＬｃとし、ポケット球面４３とポケット円筒面４５との境界からのポケット円筒面４５の高さをＬｓとしている。本構成においては、ポケット球面４３の高さＬｃは、ポケット円筒面４５の直径φＤｐ１の半値である。
【００２２】
柱部３１の外周部の凸部４７には、円周方向に突出する円周方向突起部４９が形成される。円周方向突起部４９は、凸部４７の円周方向両側に形成され、それぞれ玉１９の脱落を防止する。
【００２３】
ここで、柱部３１の先端部の形状をより詳細に説明する。図５は柱部３１の拡大斜視図、図６は図３のＶ方向拡大矢視図である。
円周方向突起部４９は、柱部３１の保持器最外周部となる凸部４７の円周方向両端部にポケット円筒面４５を狭める方向に突出して形成される。円周方向突起部４９とポケット円筒面４５とは、テーパ部５３を介して接続される。この円周方向突起部４９の円周方向の面は、円筒形状にされた張出円筒面５１となっている。
【００２４】
張出円筒面５１を円筒形状とすることで、玉をポケットに挿入する際、張出円筒面５１の口元部への位置決めが確実となり、玉がずれることなく容易に挿入可能となる。
【００２５】
なお、図示例の凸部４７は、軸方向断面が台形状としているが、必要に応じて、軸方向に沿って湾曲した曲面形状や、径方向に略垂直に突出する矩形状としても構わない。或いは、上記の形状で、一つの突起ではなく、軸方向において、複数個の突起が形成されていても構わない。
【００２６】
上記構成の保持器１００は、保持器形状が精密機械加工により製作される。したがって、凸部４７及び円周方向突起部４９には、熟練の技術が必要な手作業によらずに作製され、手作業の場合に生じた作業条件による出張り量のばらつきは生じない。そのため、出張り不足による玉の脱落や、出張り過大による玉挿入時の玉又はポケット口元に生じる挿入傷の発生を抑制できる。
【００２７】
また、凸部４７及び円周方向突起部４９が精密機械加工により製作されるため、ロールかしめ時のような塑性変形させる荷重が保持器１００に加わらない。そのため、円環部２９（図３参照）が楕円状に変形したり、柱部３１が不均一に変形したりすることがない。これにより、ポケット口元が塑性変形により開いて、玉が脱落することも抑制できる。
【００２８】
ここで、本構成の保持器１００は、図３に示すように、円環部２９の軸線に対する柱部３１の傾斜角度、つまり、円環部２９の軸線に対する柱部３１の外周側傾斜面３５の傾斜角度をθ１とした場合、下記（１）式を満たす。
θ１＞９０°  ・・・（１）
【００２９】
また、保持器１００は、図１，図３，図４に示すように、ポケット球面４３の曲率半径をＲ、玉１９の直径をＤａとしたとき、下記（２）式を満たすことが好ましい。
０．５＜Ｒ／Ｄａ＜０．６５  ・・・（２）
【００３０】
本構成の保持器１００は、（１）式を満たすことで、複列外輪１３及び内輪１７Ａ，１７Ｂとの接触を防止しつつ、保持器１００の断面肉厚を確保できる。また、本構成の保持器１００は、（２）式を満たすことで、玉１９とポケット３３が滑らかに接触し、摩擦を小さくした低発熱な構成にできる。
【００３１】
また、本構成の保持器１００は、図３に示すように、一対の凸部傾斜面５０が互いに交差する角度をθ２、凸部４７の軸方向の根元幅、すなわち、一対の凸部傾斜面５０同士の径方向内側における幅をＷとしたとき、下記（３）、（４）式を満たすことが好ましい。
０°＜θ２＜１２０°  ・・・（３）
０．１＜Ｗ／Ｄａ＜１  ・・・（４）
【００３２】
保持器１００は、（３）、（４）式を満たすことで、ポケット出口部の体積を小さくでき、玉１９をポケットに入れる際の挿入力、引抜き力が小さくなる。これにより、玉キズ等の損傷が生じにくく、且つ安易に玉１９が脱落しない適切な保持器形状にできる。
【００３３】
更に、本構成の保持器１００は、図４に示すように、ポケット円筒面４５の直径をφＤｐ１としたとき、上記（２）式、及び下記（５）式を満たすことが好ましい。
φＤｐ１＝２Ｒ  又は  φＤｐ１＜２Ｒ  ・・・（５）
【００３４】
保持器１００は、（２）、（５）式を満たすことで、玉１９とポケット３３が滑らかに接触し、摩擦を小さくして低発熱な構成となる。
【００３５】
そして、本構成の保持器１００は、図３に示すように、柱部３１の軸断面における外周側傾斜面３５と内周側傾斜面３７とのなす角をθ３としたとき、下記（６）式を満たすことが好ましい。
θ３≧０°  ・・・（６）
【００３６】
保持器１００は、（６）式を満たすことで、柱部３１の先端部肉厚を厚くし強度を大きくできる。また、玉全体を広範囲にかかえておくことで、ポケット球面４３と玉１９との間の軸方向すきまを、適正な小さな動き量にできる。その結果、音響特性が良好となる。（６）式を満たさない場合、保持器の幅方向動き量が大となり、保持器が複列外輪１３に接触するおそれを生じる。
【００３７】
図４に示すように、凸部４７の張出円筒面５１の直径をφＤｐ２とすると、保持器材料が金属材料の場合、下記（７）式、より望ましくは、（８）式を満たすことが好ましい。
０．６０＜Ｄｐ２／Ｄａ＜１  ・・・（７）
０．９５＜Ｄｐ２／Ｄａ＜０．９９  ・・・（８）
【００３８】
一方、保持器材料が樹脂材料の場合、上記（７）式、より望ましくは下記（９）式を満たすことが好ましい。
０．８６＜Ｄｐ２／Ｄａ＜０．９４  ・・・（９）
【００３９】
保持器１００は、保持器材料が金属材料の場合は（７）又は（８）式を満たすことにより、また、保持器材料が樹脂材料の場合は（９）式を満たすことにより、ポケット出口径（張出円筒面５１の直径φＤｐ２）が玉径より小さくなり、玉１９の脱落を防止できる。
【００４０】
保持器１００の保持器形状の一例として、θ１＝１１０°、θ２＝９０°、θ３＝１５°、Ｄｐ２／Ｄｐ１＝０．９５、Ｄｐ２／Ｄａ＝０．９６、Ｄｐ１＝２Ｒ、とすることができる。
【００４１】
（第２構成例）
図７は第２構成例のアンギュラ玉軸受における半径方向の断面図である。なお、以降の説明では、第１構成例と同一又は同等部分については、同一符号を付して説明を省略或は簡略化する。
本構成のアンギュラ玉軸受２０は、２つの凸部４７が外周面３９に形成されたアンギュラ玉軸受用保持器２００を備える。２つの凸部４７は、外周面３９において、アンギュラ玉軸受２０の回転軸心に沿う方向に平行に並んで配置される。
【００４２】
このアンギュラ玉軸受２０及びアンギュラ玉軸受用保持器２００によれば、ポケット面における円周方向突起部４９の数が増えるので、玉１９の脱落抑制効果が高められる。また、脱落防止機能を保持したままで、玉１９の挿入力を小さくできる。
【００４３】
（凸部の変形例）
図８（Ａ），（Ｂ），（Ｃ）はそれぞれ凸部４７における円周方向突起部４９の構成例を表す要部拡大図である。
ポケット内面にテーパ部５３を介して接続される円周方向突起部４９は、張出円筒面５１と凸部先端面５５とに挟まれる角部を種々の形状にできる。この角部は、例えば図８（Ａ）に示すように、エッジ５７を残したままにできる。また、角部は、図８（Ｂ）に示すように、半径ＲｃのＲ面５９に面取してもよい。更に、角部は、図８（Ｃ）に示すように、傾斜角度θ４の斜面６１により面取してもよい。
【００４４】
角部にエッジ５７を備えた保持器によれば、保持器の製造が容易になる。角部にＲ面５９や斜面６１を備えた保持器によれば、玉１９の挿入作業性が向上する。
【００４５】
（第３構成例）
図９は第３構成例のアンギュラ玉軸受用保持器３００における図３と同方向の斜視図である。
本構成の保持器３００は、ポケット円筒面４５が球面の中心Ｏより円環部側（図９の下側）にずれた位置から形成され、ポケット円筒面４５の直径φＤｐ１と、ポケット球面４３の曲率半径Ｒとの関係は、φＤｐ１＜２Ｒを満足する。
【００４６】
また、保持器３００は、ポケット円筒面４５が球面の中心Ｏより円環部側にずれた位置から形成される。つまり、ポケット円筒面４５の開始部分は、ポケット球面４３の赤道部よりずれ量Ｌ（Ｌ＞０）だけずれている。
【００４７】
この保持器３００は、球面での玉１９の保持を確保し、安定した回転条件を保つことができる。なお、ずれ量Ｌは、玉１９の保持を確保し、安定した回転条件を保つため、Ｌ／Ｄａ≦０．２５であることが好ましい。
【００４８】
以上説明したように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００４９】
例えば、アンギュラ玉軸受用保持器は、図示例の外輪案内方式に限定されず、図１０に示すように、内周面２８が内輪間座２７に案内される内輪案内方式や、図１１に示すように、玉１９により案内される玉案内方式であってもよい。
【００５０】
また、上記各構成例のアンギュラ玉軸受用保持器は、複列のアンギュラ玉軸受に使用しているが、単列のアンギュラ玉軸受に使用してもよい。
【００５１】
図１２は、図１の背面組合せされたアンギュラ玉軸受１０が、軸受装置である工作機械主軸４００の刃物側軸受に適用された例を示す断面図である。
例えば、中ぐり盤や旋盤等、切削加工時に大きな軸方向荷重が負荷される工作機械主軸４００に最適な主軸配列において、工作機械主軸４００の刃物側軸受として、回転軸６３とハウジング６５との間に、複列円筒ころ軸受６７と背面組合せされたアンギュラ玉軸受１０が、互いに同芯に組み合わせて配置される。
【００５２】
この場合、複列円筒ころ軸受６７の外輪外周面がハウジング６５の内周面に支持され、アンギュラ玉軸受１０の複列外輪１３の外周面とハウジング６５の内周面との間には、２０μｍ以上の直径すきまΔが形成される。直径すきまΔが２０μｍ未満であると、切削荷重等により工作機械主軸４００が撓み、複列外輪１３とハウジング６５が接触し、アンギュラ玉軸受１０にラジアル荷重が負荷される可能性がある。このため、直径すきまΔは、２０μｍ以上に設定される。なお、直径すきまΔは、２０μｍ〜５００μｍ程度であることが望ましい。
【００５３】
これにより、ラジアル荷重は、複列円筒ころ軸受で負荷され、アキシアル荷重は、アンギュラ玉軸受１０で負荷される。仮に、アンギュラ玉軸受１０でラジアル荷重とアキシアル荷重の両方を受けると、アンギュラ玉軸受１０の寿命が低下して、軸受寿命が、アンギュラ玉軸受１０に対して複列円筒ころ軸受が大幅に長くなる。一方、本例のように、ラジアル荷重は、複列円筒ころ軸受で負荷し、アキシアル荷重は、アンギュラ玉軸受１０で負荷するといった負荷分担を行うことで、両軸受においてバランスのとれた軸受寿命を実現できる。なお、本例の複列円筒ころ軸受は、単列円筒ころ軸受であってもよい。
【００５４】
したがって、本構成のアンギュラ玉軸受用保持器及びアンギュラ玉軸受によれば、玉挿入時における玉やポケット口元の挿入傷を抑制でき、且つ玉の脱落を防止できる。
【００５５】
また、本構成の軸受装置によれば、上述したアンギュラ玉軸受と、円筒ころ軸受とを組み合わせ、アンギュラ玉軸受の複列外輪１３の外周面とハウジング６５の内周面との間には、２０μｍ以上の直径すきまが形成されるので、円筒ころ軸受とアンギュラ玉軸受によってラジアル荷重とアキシアル荷重とを負荷分担させることができる。
【符号の説明】
【００５６】
１０  アンギュラ玉軸受
１１  外輪軌道溝
１５  内輪軌道溝
１７  内輪
１９  玉
２９  円環部
３１  柱部
３３  ポケット
４３  ポケット球面
４５  ポケット円筒面
４７  凸部
４９  円周方向突起部
６５  ハウジング
１００，２００，３００  アンギュラ玉軸受用保持器
４００  工作機械主軸（軸受装置）
【図１】
2018066385.tif 000003
【図２】
2018066385.tif 000004
【図３】
2018066385.tif 000005
【図４】
2018066385.tif 000006
【図５】
2018066385.tif 000007
【図６】
2018066385.tif 000008
【図７】
2018066385.tif 000009
【図８】
2018066385.tif 000010
【図９】
2018066385.tif 000011
【図１０】
2018066385.tif 000012
【図１１】
2018066385.tif 000013
【図１２】
2018066385.tif 000014
【図１３】
2018066385.tif 000015